(57)【要約】【課題】液晶表示装置の着脱作業において、表示装置コネクタと本体部コネクタとの嵌合および嵌合解除を容易に行える遊技機を提供する。【解決手段】液晶表示装置２０に設けられた液晶表示装置コネクタ２０ｂ，２０ｃと、液晶表示装置２０が取り付けられる本体２００（本体部２）と、本体２００に設けられ、本体２００に取り付けられて液晶表示装置２０を駆動する電気部品と電気的に接続されるとともに液晶表示装置コネクタ２０ｂ，２０ｃと嵌合可能な本体部コネクタ６１０ｂ，６１０ｃとを有し、液晶表示装置コネクタ２０ｂ，２０ｃは、液晶表示装置２０が本体２００に取り付けられる動作に伴って本体部コネクタ６１０ｂ，６１０ｃと嵌合され、液晶表示装置２０が本体２００から取り外される動作に伴って本体部コネクタ６１０ｂ，６１０ｃとの嵌合が解除される。【選択図】図１８
2008012002.tif 000002
【特許請求の範囲】
【請求項１】
遊技に関する所定の画像を表示可能な表示装置と、
前記表示装置に設けられた表示装置コネクタと、
前記表示装置が取り付けられる本体部と、
前記本体部に設けられ、前記本体部に取り付けられて前記表示装置を駆動する電気部品と電気的に接続されるとともに前記表示装置コネクタと嵌合可能な本体部コネクタとを有し、
前記表示装置コネクタは、前記表示装置が前記本体部に取り付けられる動作に伴って前記本体部コネクタと嵌合され、前記表示装置が前記本体部から取り外される動作に伴って前記本体部コネクタとの嵌合が解除される
ことを特徴とする遊技機。
【請求項２】
前記本体部に設けられ、前記表示装置の下端を支持する支持部をさらに備え、
前記表示装置は、前記本体部に対して前面側から取り付けられるとともに、前記表示装置コネクタと前記本体部コネクタとが前後方向で嵌合したときに前記表示装置の下端が前記支持部に支持される
ことを特徴とする請求項１記載の遊技機。
【請求項３】
前記支持部は、前記表示装置の下端の一部を支持する
ことを特徴とする請求項２記載の遊技機。
【請求項４】
前記表示装置に設けられた表示装置側ネジ穴と、
前記本体部に設けられた本体部側ネジ穴とをさらに備え、
前記表示装置側ネジ穴と前記本体部側ネジ穴とで前記表示装置を前記本体部にネジ固定したときに、当該ネジによる前記表示装置の前記本体部に対する接近動作に伴って前記表示装置コネクタと前記本体部コネクタとが所定の嵌合状態となる
ことを特徴とする請求項２または３記載の遊技機。
【請求項５】
前記表示装置は、前記本体部の上方からスライド挿入して前記本体部に取り付けられ、
前記表示装置コネクタは、スライド挿入された前記表示装置の下降端で前記本体部コネクタと上下方向で嵌合する
ことを特徴とする請求項１記載の遊技機。
【請求項６】
前記表示装置に設けられた表示装置側ネジ穴と、
前記本体部に設けられた本体部側ネジ穴とをさらに備え、
前記表示装置コネクタと前記本体部コネクタとが所定の嵌合状態となったときに前記表示装置側ネジ穴と前記本体部側ネジ穴とが対向し、前記表示装置を前記本体部にネジ固定が可能になる
ことを特徴とする請求項５記載の遊技機。
【請求項７】
前記本体部には、前記表示装置をその下端で弾発的に支持する支持部材が設けられ、
前記表示装置を前記支持部材の弾発力に抗して下降させることにより前記表示装置コネクタが前記本体部コネクタと嵌合する
ことを特徴とする請求項５または６記載の遊技機。
【発明の詳細な説明】
【技術分野】
【０００１】
本発明は遊技機に関し、特に、本体部に取り付けられる表示装置の取付構造に関するものである。
【背景技術】
【０００２】
遊技機には、遊技球が転動流下する遊技領域を備えた遊技盤が配置され、その背面側には液晶表示装置（表示装置）が取り付けられている。
【０００３】
例えば特許文献１に記載の遊技機では、液晶表示装置は本体部の上方からスライド挿入して取り付けられるようになっている。そして、挿入後に、液晶表示装置から延出された配線の先端に設けられたコネクタ（表示装置コネクタ）と、本体部から延出された配線の先端に設けられたコネクタ（本体部コネクタ）とを嵌合させている。
【０００４】
これにより、本体部に取り付けられた電気部品と液晶表示装置とが電気的に接続され、当該電気部品により液晶表示装置が駆動されて所定の画像が表示される。
【特許文献１】特開２００５−１３１３２９号公報
【発明の開示】
【発明が解決しようとする課題】
【０００５】
しかしながら、特許文献１に記載の構成によれば、配線の取り回し作業が生じる分、メンテナンスなどの液晶表示装置の着脱作業において、液晶表示装置側のコネクタと本体部側のコネクタとを嵌合したり嵌合を解除したりするのが容易ではない。
【０００６】
そのため、液晶表示装置を本体部から取り外したり本体部に取り付けたりする際に手間がかかり、作業効率が低下するという問題点があった。
【０００７】
そこで、本発明は、表示装置の着脱作業において、表示装置コネクタと本体部コネクタとの嵌合および嵌合解除を容易に行うことのできる遊技機を提供することを目的とする。
【課題を解決するための手段】
【０００８】
上記課題を解決するため、請求項１に記載の本発明の遊技機は、遊技に関する所定の画像を表示可能な表示装置と、前記表示装置に設けられた表示装置コネクタと、前記表示装置が取り付けられる本体部と、前記本体部に設けられ、前記本体部に取り付けられて前記表示装置を駆動する電気部品と電気的に接続されるとともに前記表示装置コネクタと嵌合可能な本体部コネクタとを有し、前記表示装置コネクタは、前記表示装置が前記本体部に取り付けられる動作に伴って前記本体部コネクタと嵌合され、前記表示装置が前記本体部から取り外される動作に伴って前記本体部コネクタとの嵌合が解除されることを特徴とする。
【０００９】
このように、表示装置が本体部に取り付けられる動作に伴って表示装置コネクタが本体部コネクタと嵌合・嵌合解除されるようになっているので、表示装置を本体部に取り付ける際に、先ずコネクタ同士を嵌合させておくという作業を省くことができ、表示装置を本体部から取り外す際に、先ずコネクタ同士の嵌合を解除しておくという作業を省くことができる。そして、表示装置コネクタと本体部コネクタとが直接嵌合するようになっているので、配線の取り回し作業も不要となる。
【００１０】
したがって、表示装置の着脱作業において、表示装置コネクタと本体部コネクタとの嵌合および嵌合解除を容易に行うことが可能になる。
【００１１】
請求項２に記載の本発明は、請求項１記載の発明の構成に加えて、前記本体部に設けられ、前記表示装置の下端を支持する支持部をさらに備え、前記表示装置は、前記本体部に対して前面側から取り付けられるとともに、前記表示装置コネクタと前記本体部コネクタとが前後方向で嵌合したときに前記表示装置の下端が前記支持部に支持されることを特徴とする。
【００１２】
これにより、表示装置コネクタと本体部コネクタとが所定の嵌合状態にならないと表示装置が支持部に支持されないので、表示装置が支持部に支持されているか否かによりコネクタ同士の嵌合状態を把握することが可能になる。
【００１３】
請求項３に記載の本発明は、請求項２記載の発明の構成に加えて、前記支持部は、前記表示装置の下端の一部を支持することを特徴とする。
【００１４】
これにより、表示装置における支持部に支持されていない下端に手を入れて表示装置の着脱作業を行うことができるので、着脱作業をスムーズに行うことが可能になる。
【００１５】
請求項４に記載の本発明は、請求項２または３記載の発明の構成に加えて、前記表示装置に設けられた表示装置側ネジ穴と、前記本体部に設けられた本体部側ネジ穴とをさらに備え、前記表示装置側ネジ穴と前記本体部側ネジ穴とで前記表示装置を前記本体部にネジ固定したときに、当該ネジによる前記表示装置の前記本体部に対する接近動作に伴って前記表示装置コネクタと前記本体部コネクタとが所定の嵌合状態となることを特徴とする。
【００１６】
これにより、前記表示装置を前記本体部にネジ固定する動作に連動して表示装置コネクタと本体部コネクタとが嵌合するので、表示装置の取付作業とコネクタ同士の嵌合作業とを同一動作で効率よく実行することが可能になる。
【００１７】
請求項５に記載の本発明は、請求項１記載の発明の構成に加えて、前記表示装置は、前記本体部の上方からスライド挿入して前記本体部に取り付けられ、前記表示装置コネクタは、スライド挿入された前記表示装置の下降端で前記本体部コネクタと上下方向で嵌合することを特徴とする。
【００１８】
これにより、表示装置の自重を利用して表示装置コネクタと本体部コネクタとが嵌合されるので、小さな力でコネクタ同士を容易に嵌合させることが可能になる。
【００１９】
請求項６に記載の本発明は、請求項５記載の発明の構成に加えて、前記表示装置に設けられた表示装置側ネジ穴と、前記本体部に設けられた本体部側ネジ穴とをさらに備え、前記表示装置コネクタと前記本体部コネクタとが所定の嵌合状態となったときに前記表示装置側ネジ穴と前記本体部側ネジ穴とが対向し、前記表示装置を前記本体部にネジ固定が可能になることを特徴とする。
【００２０】
これにより、表示装置側ネジ穴と前記本体部側ネジ穴とが対向していない場合にはコネクタ同士が嵌合していないことになるので、これらのネジ穴の位置関係によってコネクタ同士の嵌合を確認することが可能になる。
【００２１】
請求項７に記載の本発明は、請求項５または６記載の発明の構成に加えて、前記本体部には、前記表示装置をその下端で弾発的に支持する支持部材が設けられ、前記表示装置を前記支持部材の弾発力に抗して下降させることにより前記表示装置コネクタが前記本体部コネクタと嵌合することを特徴とする。
【００２２】
これにより、表示装置を本体部の上方からスライド挿入する際に不用意に表示装置を落下させた場合でも、支持部材により落下衝撃が緩和されるので、表示装置の毀損を未然に防止することができる。
【発明の効果】
【００２３】
本発明によれば以下の効果を奏することができる。
【００２４】
すなわち、本発明によれば、表示装置の着脱作業において、表示装置コネクタと本体部コネクタとの嵌合および嵌合解除を容易に行うことが可能になる。
【発明を実施するための最良の形態】
【００２５】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２６】
図１は本発明の一実施の形態である遊技機を示す斜視図、図２は図１の遊技機の正面図、図３は本発明の一実施の形態に係る遊技機の遊技盤を示す正面図、図４は図３の遊技盤の斜視図、図５は図１の遊技機の取付係合部、上下方向規制部および左右方向規制部を説明する図、図６は図１の遊技機に係る左上の取付係合部を示す斜視図、図７は図１の遊技機に係る左下の取付係合部を示す斜視図、図８は図１の遊技機に係る右下の取付係合部を示す斜視図、図９は図１の遊技機の背面図、図１０は図１に示した遊技機の構成要素の一部を抽出して表面側から見た分解斜視図、図１１は図１に示した遊技機の構成要素の一部を抽出して背面側から見た分解斜視図、図１２は図１の遊技機に取り付けられた液晶表示装置を示す正面図、図１３は図１の遊技機に取り付けられた液晶表示装置を背面側から見た斜視図、図１４は図１の遊技機の本体の内部の一例を示す正面図、図１５は図１の遊技機の本体に設けられた下端支持段部近傍を示す斜視図、図１６は図１の遊技機の本体に設けられた他の下端支持段部近傍を示す斜視図、図１７は液晶表示装置のインバータ基板を保護するカバーケースがインバータ基板収容凹部に収容された状態を示す斜視図、図１８は液晶表示装置の本体に対する取り付けの様子を示す説明図、図１９は液晶表示装置と遊技盤との配置関係を説明する斜視図、図２０は本発明の他の実施の形態である遊技機における液晶表示装置と本体要部とを示す分解斜視図、図２１は図２０の遊技機における液晶表示装置の本体に対する取り付けの様子を示す説明図、図２２は本発明の他の実施の形態である遊技機に設けられた支持部材の内部構造を示す断面図である。
【００２７】
図１および図２に示すように、パチンコ遊技機（遊技機）１は、遊技盤１０（図３、図４および図５参照）が装着される本体部２と、本体部２内で遊技盤１０の背後に設けられる表示装置としての液晶表示装置（ＬＣＤ）２０（図６参照）と、この本体部２に取り付けられるガラス扉３、上皿部４、下皿部５、カバー６およびハンドル７とを備えている。
【００２８】
ガラス扉３および上皿部４は一体化して形成されており、この一体化された開閉扉（開閉体）は、その一端が本体部２に回動可能に軸支され、他端が本体部２に係合するようになっている。ガラス扉３は、動作可能に設けられた遊技盤１０を視認可能に被うものである。
【００２９】
上皿部４はガラス扉３の下側に位置し、払い出された遊技球および遊技領域に打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００３０】
上皿部４の下側に位置する下皿部５は、本体部２に固定されており、払い出しにより上皿４ａからオーバーフローした遊技球が貯留される下皿５ａを有している。
【００３１】
下皿部５の右側に設けられたハンドル７は、外レール１１ａおよび内レール１１ｂ（図３および図４参照）を介して遊技盤１０の遊技領域１０ａへ遊技球を打ち込む際に回動操作されるものであり、遊技球の発射を停止させるストップボタン（図示せず）が設けられている。
【００３２】
ガラス扉３の上側に位置するカバー６は本体部２に固定されており、カバー６の左右の部位６ａ，６ｂは、本体部２に設けられる左右のスピーカ（図示せず）にそれぞれ対応して、スピーカからの音声が聞こえるような構造になっている。
【００３３】
液晶表示装置２０は、演出画像（例えば、遊技状態に対応したアニメーションやその他の報知情報など。）等を表示可能な表示領域２０ａを備えている。
【００３４】
遊技盤１０は、図３および図４に示すように、外レール１１ａおよび内レール１１ｂに包囲され、遊技球の流下が可能な遊技領域１０ａを有している。そして、その遊技領域１０ａには、多数の遊技くぎや風車などの障害物（図示せず）、一般入賞口１２、通過ゲート１３、可変入賞装置である大入賞口１５、アウト口１６、ワープ口１９、普通図柄表示装置（図示せず）、特別図柄表示装置（図示せず）などと、始動口１４、ポケット１４ａおよび普通電動役物１７を有する電動役物構成部材１８からなる遊技部材が配置されている。
【００３５】
ここで、一般入賞口１２は、遊技球が入賞（流入）すると所定の数の遊技球が払い戻される装置である。また、当該一般入賞口に入賞した球は、遊技盤１０の背面側に設けられた一般球通路（図示せず）を転動流下して回収される。
【００３６】
通過ゲート１３は、遊技球が通過したことを契機として普通図柄表示装置の複数の図柄を変動・停止させる装置、大入賞口１５は、特別図柄表示装置の停止時における図柄の組み合わせが予め設定された特定の図柄の組み合わせとなって特別遊技状態に移行した場合に開放状態となる装置である。また、当該大入賞口１５に入賞した球は、遊技盤１０の背面側に設けられた大入賞球通路（図示せず）を転動流下して回収される。また、アウト口１６は、一般入賞口１２、始動口１４、大入賞口１５、普通電動役物１７の何れにも入賞（流入）しなかった遊技球が流入して回収される装置である。
【００３７】
ワープ口１９は、流入した遊技球を、遊技盤１０の背面側に配置されているワープ球通路１９ａへと導く装置である。
【００３８】
ワープ球通路１９ａに導かれた遊技球は、ワープ球通路１９ａを転動流下し、始動口１４の上方に位置するワープ出口１９ｂから排出される。つまり、ワープ口１９に流入した遊技球は、ワープ球通路１９ａによって始動口１４へと案内される。
【００３９】
ここで、ワープ球通路１９ａは、前述のように遊技盤１０の背面側に配置されており、図３においては点線で示されている。また、当該ワープ球通路１９ａは、少なくとも一部が透明性を有している。
【００４０】
普通電動役物１７は、遊技球を受け入れる受け入れ口１７ａを有しており、遊技球を受け入れ易い状態と、遊技球を受け入れ難い状態との間で切換可能な開閉機構を備えた装置である。この普通電動役物１７は、通常の状態では遊技球を受け入れ難い状態となっており、所定の条件が成立した場合（例えば、普通図柄表示装置が、「当り」を意味する図柄で停止した場合）に、所定時間（例えば、０．３秒間）だけ開いて遊技球を受け入れ易い状態に切り換えられる。なお、当該受け入れ口１７ａに遊技球が入賞すると所定の数の遊技球が払い戻される。
【００４１】
始動口１４は、遊技球が入賞（流入）すると特別図柄表示装置の図柄を変動・停止させる装置である。当該始動口１４に入賞した遊技球は、ポケット１４ａに入った後、遊技盤１０の背面側の始動球通路３３を転動流下して回収される。
【００４２】
ここで、始動球通路３３は、始動球通路３３ａおよび始動球通路３３ｂから構成されて遊技盤１０の背面側に配置されており、図３においては点線で示されている。また、当該始動球通路３３は、少なくとも一部が透明性を有している。
【００４３】
図３において、向かって右側の斜線で示す始動球通路３３ｂに関しては、本実施の形態では封鎖されているため、当該通路を遊技球が流下することはない。よって、遊技球が流下するのは専ら図３において向かって左側の始動球通路３３ａとなる。
【００４４】
本実施の形態において、遊技盤１０は、たとえばポリカーボネートなど透光性（透明性）を有する樹脂からなり、前述した液晶表示装置２０は、このような遊技盤１０の背後に配置され、遊技盤１０を通して視認可能になっている。
【００４５】
但し、遊技盤１０は透光性を有してさえいれば、ポリカーボネート以外の部材であってもよいし、スモークがかかったような半透明の部材でもよい。また、例えば木製など透光性を有していない部材を用いてもよい。遊技盤が透光性を有していない場合には、液晶表示装置２０は、遊技盤１０に開口された表示窓を介して視認可能に配置される。
【００４６】
また、液晶表示装置２０にかえて、例えばプラズマディスプレイ等の表示装置を用いることもできる。
【００４７】
ここで、図３および図４に示すように、四角形の遊技盤１０には、その４ヶ所の隅部に、本体部２に設けられた４ヶ所の取付係合部と係合する取付部１１０，１２０，１３０，１４０が設けられている。
【００４８】
取付部１１０および取付部１２０には、遊技盤１０の左側方（遊技盤１０を表面から見て左側）に突出したピン部１１１およびピン部１２１が、一方、取付部１３０および取付部１４０には、遊技盤１０の右側方（遊技盤１０を表面から見て右側）に突出したピン部１３１およびピン部１４１が、それぞれ設けられている。
【００４９】
図５に示すように、本体部２には、遊技盤１０を固定するための予め決められた４ヶ所の部位に、遊技盤１０の取付部１１０，１２０，１３０，１４０のそれぞれと係合する取付係合部２１０，２２０，２３０，２４０が設けられている。なお、図５は、上記一体化された開閉扉（ガラス扉３および上皿部４）を開放（全開放）し、本体部２に対し液晶表示装置２０を取り付けるとともに遊技盤１０を取り外した状態を示している。
【００５０】
取付係合部２１０，２２０，２３０，２４０は、本体部２の前方向から取付部１１０，１２０，１３０，１４０のピン部１１１，１２１，１３１，１４１を受け入れて、このピン部１１１，１２１，１３１，１４１を後方へ案内する案内部３１０と、案内部３１０の後端において陥没形成されて、案内部３１０に案内されたピン部１１１，１２１，１３１，１４１を落とし込んで収納することによりピン部１１１，１２１，１３１，１４１の前方向への動きを規制する収納部３２０とを有している。
【００５１】
すなわち、左上に位置する取付係合部２１０は、図６に示すように、ベース部３００および可動規制部（前方向規制部）４００を有している。ベース部３００は、本体部２の前方向から取付部１１０のピン部１１１を受け入れて、当該ピン部１１１を所定の位置において前方向への動き（つまり遊技盤１０の前方向への動き）を規制する機能を有している。可動規制部４００は、遊技盤１０の上方向および前方向の動きを規制する機能を有している。
【００５２】
左下に位置する取付係合部２２０は、図７に示すように、本体部２の前方向から取付部１２０のピン部１２１を受け入れて、当該ピン部１２１を所定の位置において前方向への動き（つまり遊技盤１０の前方向への動き）を規制する機能を果たすベース部３００を有している。この取付係合部２２０は、取付係合部２１０のベース部３００と同一である。
【００５３】
右上に位置する取付係合部２３０は、取付係合部２１０の構成（構造）と同様に、ベース部および可動規制部を有している。ベース部は、本体部２の前方向から取付部１３０のピン部１３１を受け入れて、当該ピン部１３１を所定の位置において前方向への動き（つまり遊技盤１０の前方向への動き）を規制する機能を有している。可動規制部は、遊技盤１０の上方向および前方向の動きを規制する機能を有している。
【００５４】
右下に位置する取付係合部２４０は、図８に示すように、取付係合部２２０の構成（構造）と同様に、本体部２の前方向から取付部１４０のピン部１４１を受け入れて、当該ピン部１４１を所定の位置において前方向への動き（つまり遊技盤１０の前方向への動き）を規制する機能を果たすベース部を有している。
【００５５】
なお、遊技盤１０の下側に設けられる取付部１２０，１４０と係合する取付係合部２２０，２４０には、取付係合部２１０，２３０に設けられている可動規制部は設けられていない。
【００５６】
再度、図５を参照して説明する。取付係合部２１０および取付係合部２３０は、それぞれ遊技盤１０の上方向の動きを規制する上方向規制部（図示せず）を有している。
【００５７】
本体部２には、取付係合部２２０の固定位置と取付係合部２４０の固定位置との間であって、当該２つの固定位置間を結ぶ線分よりも下方の所定の位置に、遊技盤１０の下方向の動きを規制する下方向規制部５１３と下方向規制部５１４とがそれぞれ設けられている。
【００５８】
この実施の形態では、取付係合部２１０および取付係合部２３０の各上方向規制部と、下方向規制部５１３，５１４とで、遊技盤１０の上下方向の動きを規制する上下方向規制部の機能を果たすようになっている。
【００５９】
また、本体部２には、取付係合部２１０の固定位置と取付係合部２２０の固定位置との間の所定位置に、遊技盤１０の左右方向の動きを規制する左右方向規制部５１５と、取付係合部２３０の固定位置と取付係合部２４０の固定位置との間の所定位置に、遊技盤１０の左右方向の動きを規制する左右方向規制部５１６と、がそれぞれ設けられている。
【００６０】
下方向規制部５１３，５１４は、図７および図８に示すように、コ字型の形状を有しており、このコ字型形状の平坦な部位の両側から突出している部位（凸部）５１３ａ，５１４ａの先端面が、遊技盤１０の下端面と接するようになっている。しかも、下方向規制部５１３，５１４は、当該遊技盤１０の下方向の動きを規制すべく本体部２の所定の位置に固着されている。
【００６１】
左右方向規制部５１５は、図７に示すように、遊技盤１０の左側端面（遊技盤１０を表面から見て左）と接する部位、遊技盤１０の裏面と接する部位とが形成された切り欠き部５１５ａを有している。左右方向規制部５１６は、図８に示すように、遊技盤１０の右側端面（遊技盤１０を表面から見て右）と接する部位、遊技盤１０の裏面と接する部位とが形成された切り欠き部５１６ａを有している。
【００６２】
ところで、上述した上下方向規制部（取付係合部２１０，２３０および下方向規制部５１３，５１４）、および左右方向規制部５１５，５１６は、遊技盤１０に取り付けられた各取付部１１０，１２０，１３０，１４０のピン部１１１，１２１，１３１，１４１が、各取付係合部２１０，２２０，２３０，２４０に形成された後述する収納部３２０により前方向への動きを規制された状態において、遊技盤１０の上下方向あるいは左右方向の動きを規制するようになっている。
【００６３】
液晶表示装置２０は、図６〜図８に示すように、その上側は取付係合部２１０，２３０によって前方への倒れが阻止されるとともに、段部５３１，５３２（図１４）によって上方向の移動が規制され、一方、その下側は本体部２に形成された２カ所の下端支持段部（支持部）５１７，５１８によって支持されている。なお、液晶表示装置２０の支持構造についての詳細は後述する。
【００６４】
次に、本体部２の背面側の構造について、図９を用いて説明する。
【００６５】
図９に示すように、本体部２の背面には、遊技機１の動作を実現するためのさまざまな電気部品や電気部品等を実装した基板等が搭載されている。
【００６６】
例えば、本体部２の背面中央には、主制御基板（電気部品）を保持する主制御基板ケース１００が、本体部２の背面の中央よりやや下左側には図示しない電源基板（電気部品）を保持する電源基板ケース１５０が、そして、本体部２の背面の中央よりやや下右側には、払出制御基板（電気部品）を保持する払出基板ケース（図示せず）がそれぞれ搭載されている。
【００６７】
本体部２の背面の中央よりやや上左側、すなわち主制御基板ケース１００の上方には、演出制御基板ケース（図示せず）が搭載されている。演出制御基板ケースには、主制御基板における主制御回路から受ける制御信号に基づいて所定の制御を実行する演出制御回路が搭載された演出制御基板（図示せず）が格納されている。
【００６８】
ここで、主制御基板は、パチンコ機１の遊技の進行を制御する主制御回路（制御回路）が搭載された基板であり、前述のように、遊技盤１０に設けられた電気部品のうち、例えば特別図柄始動記憶表示器、普通図柄始動記憶表示器、特別図柄表示器、普通図柄表示器、ラウンド数表示器、大入賞口の開閉を行う大入賞口ソレノイド、普通電動役物１７の開閉を行う始動口ソレノイド等を駆動する基板である。電源基板は、各電子部品が動作するために必要な電圧の電源を生成する基板である。また、払出制御基板は、賞球や貸球等を払い出す払出装置（図示せず）を駆動制御する基板である。そして、演出制御基板は、液晶表示装置２０の画像表示制御や、遊技機１の各所に配置されているランプ・ＬＥＤ（電気部品）等の発光表示制御、スピーカ６ａ，６ｂからの音出力制御を行う制御回路が搭載された基板である。
【００６９】
なお、本体部２の背面の上部には遊技球が貯留される貯留タンク４５０が配置されている。貯留タンク４５０の下方には、貯留タンク４５０に貯留された遊技球を払出装置７００に案内する整流樋６００が設けられている。整流樋６００の底面には、遊技球を整列して流下させるガイドレール（図示せず）が形成されており、これにより、貯留タンク４５０からの遊技球は整流されて払出装置７００へと案内される。さらに、本体部２の背面の各所には、電子部品を搭載した基板間を電気的に接続する配線（図示せず）が施設されている。
【００７０】
図示するように、本体部２の背面には、演出制御基板ケース、主制御基板ケース１００、電源基板ケース１５０、払出制御基板ケース等の基板ケースを覆う基板ケースカバー７０が、回動可能に軸支されて設けられている。
【００７１】
すなわち、本体部２の図面左側には、基板ケースカバー７０を回動可能に軸支する軸部３０ａ，３０ｂが上下方向に設けられており、基板ケースカバー７０の一端に形成された軸受け部５０１ａ，５０１ｂが軸部３０ａ，３０ｂに軸支されることにより、基板ケースカバー７０は本体部２の背面側に開閉可能に取り付けられる。
【００７２】
そして、上記軸側に対向する端部、すなわち開閉端側には、基板ケースカバー７０の回動を防止する固定部５０２が形成されている。
【００７３】
但し、これら基板ケースなどの搭載位置は一例に過ぎず、また、本発明の遊技機に搭載される電気部品や基板、基板ケースなどは列挙されたものに限定されない。
【００７４】
ここで、図１０および図１１は、本体部２、液晶表示装置２０および基板ケースカバー７０の位置関係を分解して示している。
【００７５】
本体部２は、木枠２ａと、この木枠２ａに回動可能に支持される本体２００とを有している。本体２００には、遊技盤１０および液晶表示装置２０を収容する凹部５００が形成されている。また、凹部５００の底部には、後述する液晶表示装置２０に設けられているインバータ基板を収容する凹部（以下、「インバータ基板収容凹部」という。）５２０が形成されている。
【００７６】
そして、前述のように透光性を有する遊技盤１０は、液晶表示装置２０を視認可能に本体２００に対し当該本体２００の表面側から取り付けられる。
【００７７】
また、液晶表示装置２０は、その裏面（背面）に液晶表示装置２０を照明するための冷陰極管のインバータであるインバータ基板を備え、本体部２（の本体２００）に対しその表面側から取り付けられる。つまり、液晶表示装置２０は、遊技盤１０の背後に位置するように本体２００に表面側から取り付けられる。なお、液晶表示装置２０の裏面には、図１３に示すように、このインバータ基板を保護すべく、カバーケース２１が取り付けられている。
【００７８】
基板ケースカバー７０は、本体部２（の本体２００）に対し当該本体２００の背面側から取り付けられ、本体部２に取り付けられ演出制御基板等を覆っている。
【００７９】
液晶表示装置２０は、図１２に示すように、表示領域２０ａと、本体２００に設けられているボス（本体部側ネジ穴）５４１，５４２，５４３，５４４（後述する）に固定される、例えばビス止めされる固定部２２，２３，２４，２５とを有している。固定部２２，２３，２４，２５には、ボス５４１，５４２，５４３，５４４に対応する固定孔（表示装置側ネジ穴）２２ａ，２３ａ，２４ａ，２５ａが形成されている。具体的には、上部に位置する固定部２２，２４では、それぞれ上下に３つずつ形成された孔の内の下の孔が固定孔２２ａ，２４ａとなっている。また、下部に位置する固定部２３，２５では、それぞれ上下に３つずつ形成された孔の内の上の孔が固定孔２３ａ，２５ａとなっている。そして、ネジなどの固定部材が、固定部２２，２３，２４，２５の固定孔２２ａ，２３ａ，２４ａ，２５ａを介して、本体２００のボス５４１，５４２，５４３，５４４にネジ止めされることで、液晶表示装置２０が本体部２に固定される。
【００８０】
図１３に示すように、液晶表示装置２０の背面には、前述したカバーケース２１の他に、当該カバーケース２１の下部に、表示装置コネクタ２０ｂ，２０ｃが後方に向けて設けられている。
【００８１】
背面から向かって左側に位置する表示装置コネクタ２０ｂは、電源基板と電気的に接続された本体部コネクタ６１０ｂ（後述する）と嵌合することにより液晶表示装置２０に電源を供給するためのものである。また、背面から向かって右側に位置する表示装置コネクタ２０ｃは、演出制御基板と電気的に接続された本体部コネクタ６１０ｃ（後述する）と嵌合することにより、液晶表示装置２０に表示される画像データを送るためのものである。
【００８２】
次に、本体２００の構成について、図１４〜図１７を参照して説明する。
【００８３】
図１４は、液晶表示装置２０、遊技盤１０を取り付ける前の本体２００を表面側から見た様子（正面図）を示している。また、図１５〜図１７は本体２００の要部を拡大して示している。
【００８４】
本体２００は、前述のように、液晶表示装置２０に設けられているインバータ基板を収容するインバータ基板収容凹部５２０、液晶表示装置２０の上方向の移動を規制する段部（以下、「上方向移動規制段部」という。）５３１，５３２、および液晶表示装置２０を本体２００に固定するための４つのボス５４１，５４２，５４３，５４４を追加した構成になっている。
【００８５】
本体２００には、所定の部位に、本体２００の内側に滞留する熱を外部に放熱するための複数の切り欠き部（孔）５５１が形成されている。
【００８６】
インバータ基板収容凹部５２０には、インバータ基板から発せられる熱を外部に放熱するための複数の孔５２１が形成されている。
【００８７】
ところで、前述のように、本体部２（の本体２００）には、液晶表示装置２０の前方向の移動を規制する取付係合部２１０，２３０、および液晶表示装置２０の下端部を支持する下端支持段部５１７，５１８が設けられている。
【００８８】
すなわち、本体２００には、液晶表示装置２０に関し、その下端を支持する下端支持段部５１７，５１８（図１５〜図１７参照）、その上方向の移動を規制する上方向移動規制段部５３１，５３２、その上端を支持する突出部の機能を有する取付係合部２１０，２３０が設けられている。
【００８９】
なお、図示するように、下端支持段部５１７，５１８は、左右に分割して２カ所に形成されており、したがって、下端支持段部５１７，５１８は液晶表示装置２０の下端の一部（本実施の形態では、液晶表示装置２０の下端の左右）を支持し、下端の他の箇所（つまり、下端支持段部５１７と下端支持段部５１８との間）は支持しないようになっている。なお、下端支持段部を分割することなく液晶表示装置２０の下端部全面に対応するように形成し、液晶表示装置２０の下端部全面を支持するようにしてもよい。
【００９０】
また、下端支持段部５１７，５１８においては、それぞれの上面５１７ａ，５１８ａによって液晶表示装置２０の下端部を支持するようになっている。また、下端支持段部５１７，５１８の上面５１７ａ，５１８ａの奥行きは、液晶表示装置２０が仮固定の状態（後述する）では、当該液晶表示装置２０の下端部が前方にはみ出し、本固定の状態（後述する）となったときに、はみ出さなくなる長さに形成されている。
【００９１】
ここで、向かって右側に位置する下端支持段部５１８の上面５１８ａには、前述した液晶表示装置２０の背面に設けられた表示装置コネクタ２０ｂ，２０ｃと嵌合する本体部コネクタ６１０ｂ，６１０ｃが前方に向けて設けられている。
【００９２】
前述のように、液晶表示装置２０の背面の表示装置コネクタ２０ｂ，２０ｃは後方に向けて設けられていることから、後述のようにして液晶表示装置２０を本体部２に取り付けたならば、表示装置コネクタ２０ｂは本体部コネクタ６１０ｂと前後方向から嵌合し、表示装置コネクタ２０ｃは本体部コネクタ６１０ｃと前後方向から嵌合するようになっている。
【００９３】
ここで、向かって右側に位置する本体部コネクタ６１０ｂは、電源基板と図示しない配線を介して電気的に接続さており、向かって左側に位置する本体部コネクタ６１０ｃは、演出制御基板と図示しない配線を介して電気的に接続されている。
【００９４】
したがって、液晶表示装置２０を本体部２に取り付けて本体部コネクタ６１０ｂ，６１０ｃと表示装置コネクタ２０ｂ，２０ｃとを嵌合させると、次のようになる。すなわち、本体部コネクタ６１０ｂと表示装置コネクタ２０ｂとを嵌合させることにより、電源基板と液晶表示装置２０とが電気的に接続され、液晶表示装置２０に電源が供給される。また、本体部コネクタ６１０ｃと表示装置コネクタ２０ｃとを嵌合させることにより演出制御基板と液晶表示装置２０とが電気的に接続され、演出制御基板から液晶表示装置２０に画像データが送信される。このように、液晶表示装置２０が、当該液晶表示装置２０を駆動する電気部品である電源基板および演出制御基板と電気的に接続されることにより、液晶表示装置２０の表示領域２０ａに所定の演出画像が表示される。
【００９５】
また、取付係合部２１０，２３０において、液晶表示装置２０の上端部を支持し、かつ液晶表示装置２０の前方向の移動を規制する突出部の機能を果たす部分は、図６に示すように、ベース部３００の部位３４０の下側部位３４１である。
【００９６】
したがって、液晶表示装置２０は、遊技盤１０の背後に位置するように本体２００に対し当該本体２００の表面側から取り付けられ、かつ当該液晶表示装置２０の上端が突出部である下側部位３４１によって前方向の移動が規制されるとともに、当該液晶表示装置２０の下端が下端支持段部５１７，５１８によって支持される。そして、取り付けは、液晶表示装置２０における下端支持段部５１７，５１８に支持されていない下端に手を入れて行う。
【００９７】
このように本実施の形態においては、遊技盤１０を固定するための上側の２つの取付係合部２１０，２３０および下端支持段部５１７，５１８を利用して、液晶表示装置２０の仮固定を行うことが可能である。
【００９８】
再度、図１４を参照して説明する。
【００９９】
下端支持段部５１７，５１８のそれぞれの上面５１７ａ，５１８ａから、取付係合部２１０，２３０におけるベース部３００の部位３４０の下側部位３４１の先端面までの距離（高さ）Ｈ１は、図１２に示した液晶表示装置２０の高さＨよりも短くなっている。
【０１００】
すなわち、液晶表示装置２０の下端を下端支持段部５１７，５１８のそれぞれの上面５１７ａ，５１８ａに載置し、しかも液晶表示装置２０を上面５１７ａ，５１８ａに対し垂直にした場合に、当該液晶表示装置２０の上端がベース部３００の部位３４０の下側部位３４１と接して、当該液晶表示装置２０の前方向の移動を規制するように、下端支持段部５１７，５１８と取付係合部２１０，２３０（のベース部３００）とが配置されるようになっている。
【０１０１】
また、本体２００の凹部５００における側部Ｗ１と側部Ｗ２との間の距離（幅）は、図１２に示す液晶表示装置２０の幅Ｗよりも多少長くなっている。すなわち、側部Ｗ１と側部Ｗ２との間の幅は、液晶表示装置２０を凹部５００に取り付けたときに、液晶表示装置２０に設けられている４つの固定部２２，２３，２４，２５の４つの固定孔２２ａ，２３ａ，２４ａ，２５ａと本体２００の凹部５００に設けられている４つのボス５４１，５４２，５４３，５４４とが略一致し、液晶表示装置２０に設けられている表示装置コネクタ２０ｂ，２０ｃと本体２００の下端支持段部５１８の上面５１８ａに設けられている本体部コネクタ６１０ｂ，６１０ｃとが略一致するように、当該液晶表示装置２０の取り付けが可能で、かつ凹部５００の側部Ｗ１および側部Ｗ２によって当該液晶表示装置２０の左右方向の移動が規制できる幅になっている。
【０１０２】
したがって、本体部２に液晶表示装置２０を仮固定したならば、液晶表示装置２０に設けられている４つの固定部２２，２３，２４，２５の４つの固定孔２２ａ，２３ａ，２４ａ，２５ａと本体２００に設けられている４つのボス５４１，５４２，５４３，５４４とが前後方向に略一致し、液晶表示装置２０に設けられている表示装置コネクタ２０ｂ，２０ｃと本体２００の下端支持段部５１８の上面５１８ａに設けられている本体部コネクタ６１０ｂ，６１０ｃとが前後方向に略一致するように当該液晶表示装置２０が位置決めされるので、次の作業である本固定を容易に行うことができるようになる。
【０１０３】
その後、液晶表示装置２０は、ネジなどの固定部材が、固定部２２，２３，２４，２５の固定孔２２ａ，２３ａ，２４ａ，２５ａを介して、本体２００のボス５４１，５４２，５４３，５４４にネジ止めされることで、本固定される。
【０１０４】
ここで、液晶表示装置２０の本体２００に対する本固定の状態について、図１８を用いて説明する。
【０１０５】
液晶表示装置２０を本体部２の本体２００に仮固定したときには（図１８（ａ））、液晶表示装置２０は、上端が取付係合部２１０，２３０により前方向への移動が規制され、下端が下端支持段部５１７，５１８により支持された状態にとどまっている。また、前述のように、液晶表示装置２０の固定孔２２ａ，２３ａ，２４ａ，２５ａと本体２００のボス５４１，５４２，５４３，５４４とが略一致している。さらに、液晶表示装置２０の下端部は下端支持段部５１７，５１８の上面５１７ａ，５１８ａから前方にはみ出した不安定な状態となっている。
【０１０６】
この図１８（ａ）に示す仮固定の状態から、固定部材であるネジ６２０を、固定孔２２ａ，２３ａ，２４ａ，２５ａを介して（つまり固定孔２２ａ，２３ａ，２４ａ，２５ａに貫通させて）ボス５４１，５４２，５４３，５４４にネジ止めすると、ネジ６２０のボス５４１，５４２，５４３，５４４に対する螺合に伴って液晶表示装置２０が本体２００の凹部５００に徐々に接近していき、最終的に、図１８（ｂ）に示すように、本体２００に本固定される。
【０１０７】
このとき、液晶表示装置２０の表示装置コネクタ２０ｂ，２０ｃと本体２００の本体部コネクタ６１０ｂ，６１０ｃとは前後方向に略一致しているので、液晶表示装置２０に設けられた表示装置コネクタ２０ｂ，２０ｃは、液晶表示装置２０が凹部５００に接近する動作に伴って（つまり、本体２００に取り付けられる動作に伴って）、本体部コネクタ６１０ｂ，６１０ｃと前後方向で嵌合する。
【０１０８】
また、本固定により、液晶表示装置２０の下端部は下端支持段部５１７，５１８の上面５１７ａ，５１８ａから前方にはみ出すことなく、その全面が下端支持段部５１７，５１８に支持されて、安定した状態となる。
【０１０９】
なお、以上の作業を逆に行うことにより、つまりネジ６２０を緩めてボス５４１，５４２，５４３，５４４から抜き去り、液晶表示装置２０を、当該液晶表示装置２０における下端支持段部５１７，５１８に支持されていない下端に手を入れて本体２００から取り外すことにより、表示装置コネクタ２０ｂ，２０ｃは本体部コネクタ６１０ｂ，６１０ｃとの嵌合が解除される。
【０１１０】
このように、本実施の形態の遊技機では、液晶表示装置２０が本体２００に取り付けられる動作に伴って表示装置コネクタ２０ｂ，２０ｃが本体部コネクタ６１０ｂ，６１０ｃと嵌合し、あるいは嵌合解除されるようになっている。
【０１１１】
これにより、液晶表示装置２０を本体２００に取り付ける際に、先ず表示装置コネクタ２０ｂ，２０ｃと本体部コネクタ６１０ｂ，６１０ｃとを嵌合させておくという作業を省くことができる。また、液晶表示装置２０を本体２００から取り外す際に、先ず表示装置コネクタ２０ｂ，２０ｃと本体部コネクタ６１０ｂ，６１０ｃとの嵌合を解除しておくという作業を省くことができる。そして、表示装置コネクタ２０ｂ，２０ｃと本体部コネクタ６１０ｂ，６１０ｃとが直接嵌合するようになっているので、両者を接続するための配線の取り回し作業も不要となる。
【０１１２】
したがって、液晶表示装置２０の着脱作業において、表示装置コネクタ２０ｂ，２０ｃと本体部コネクタ６１０ｂ，６１０ｃとの嵌合および嵌合解除を容易に行うことが可能になる。
【０１１３】
また、液晶表示装置２０が本体２００に本固定されて表示装置コネクタ２０ｂ，２０ｃが本体部コネクタ６１０ｂ，６１０ｃと前後方向で嵌合したときに液晶表示装置２０の下端部が下端支持段部５１７，５１８に支持されるので、表示装置コネクタ２０ｂ，２０ｃと本体部コネクタ６１０ｂ，６１０ｃとが所定の嵌合状態にならないと液晶表示装置２０が下端支持段部５１７，５１８には支持されないことになる。したがって、液晶表示装置２０が下端支持段部５１７，５１８に支持されているか否かにより、表示装置コネクタ２０ｂ，２０ｃと本体部コネクタ６１０ｂ，６１０ｃとの嵌合状態を把握することが可能になる。
【０１１４】
さらに、下端支持段部５１７，５１８が分割して形成されることにより、液晶表示装置２０の下端の一部を支持しているので、液晶表示装置２０における下端支持段部５１７，５１８に支持されていない下端に手を入れて液晶表示装置２０の着脱作業を行うことができるので、着脱作業をスムーズに行うことが可能になる。
【０１１５】
そして、ネジ６２０を用いて、液晶表示装置２０に設けられた固定孔２２ａ，２３ａ，２４ａ，２５ａと本体部２（の本体２００）に設けられたボス５４１，５４２，５４３，５４４とで液晶表示装置２０を本体２００にネジ固定したときに、ネジ６２０による液晶表示装置２０の本体２００に対する接近動作に伴って表示装置コネクタ２０ｂ，２０ｃと本体部コネクタ６１０ｂ，６１０ｃとが所定の嵌合状態となる。したがって、液晶表示装置２０を本体２００にネジ固定する動作に連動して表示装置コネクタ２０ｂ，２０ｃと本体部コネクタ６１０ｂ，６１０ｃとが嵌合するので、液晶表示装置２０の取付作業とコネクタ同士の嵌合作業とを同一動作で効率よく実行することが可能になる。
【０１１６】
さて、上述したようにして、液晶表示装置２０が本体２００に本固定され、さらに遊技盤１０が本固定された場合には、液晶表示装置２０と遊技盤１０とは、例えば図１９に示すような配置関係で、取り付けられていることになる。すなわち、遊技盤１０の背後に液晶表示装置２０が配置されている。なお、図１９においては、遊技盤１０に設けられている取付部、取付係合部２１０の可動規制部４００、液晶表示装置２０に設けられているインバータ基板およびカバーケース２１などは図示していない。
【０１１７】
以上の説明では、液晶表示装置２０の表示装置コネクタ２０ｂ，２０ｃが後方に向けて設けられるとともに、本体部２の本体部コネクタ６１０ｂ，６１０ｃが前方に向けて設けられ、表示装置コネクタ２０ｂ，２０ｃと本体部コネクタ６１０ｂ，６１０ｃとは前後方向から嵌合するようになっていた。
【０１１８】
しかしながら、図２０に示すように、液晶表示装置２０に設けられた表示装置コネクタ２０ｂ，２０ｃを下方に向けて設けるとともに、本体部２（の本体２００）に設けられた本体部コネクタ６１０ｂ，６１０ｃを上方に向けて設け、表示装置コネクタ２０ｂ，２０ｃと本体部コネクタ６１０ｂ，６１０ｃとが上下方向から嵌合するようにしてもよい。この場合には、本体２００には、液晶表示装置２０の両側部を支持することにより、当該液晶表示装置２０の上下方向の動きを許容するとともに、それ以外の方向の動きを規制するガイドレール６３０を設ける。
【０１１９】
また、液晶表示装置２０に設けられた固定孔２２ａ，２３ａ，２４ａ，２５ａと本体２００に設けられたボス５４１，５４２，５４３，５４４とは、表示装置コネクタ２０ｂ，２０ｃと本体部コネクタ６１０ｂ，６１０ｃとが所定の嵌合状態となったときに固定孔２２ａ，２３ａ，２４ａ，２５ａとボス５４１，５４２，５４３，５４４とが対向するようにする。
【０１２０】
これにより、液晶表示装置２０は、図２１（ａ）に示すように、ガイドレール６３０に案内されて上方からスライド挿入して本体２００に取り付けられる。
【０１２１】
すると、図２１（ｂ）に示すように、表示装置コネクタ２０ｂ，２０ｃは、スライド挿入された液晶表示装置２０の下降端で本体部コネクタ６１０ｂ，６１０ｃと上下方向で嵌合する。そして、コネクタ同士が嵌合したときに固定孔２２ａ，２３ａ，２４ａ，２５ａとボス５４１，５４２，５４３，５４４とが対向するので、液晶表示装置２０を本体２００にネジ固定が可能になる。そこで、コネクタ同士が嵌合したならば、固定部材であるネジ６２０を、固定孔２２ａ，２３ａ，２４ａ，２５ａを介して（つまり固定孔２２ａ，２３ａ，２４ａ，２５ａに貫通させて）ボス５４１，５４２，５４３，５４４にネジ止めする。これにより、液晶表示装置２０が本体２００の凹部５００に本固定される。
【０１２２】
このように、液晶表示装置２０を上方からスライド挿入により本体２００に取り付けるようにすれば、液晶表示装置２０の自重を利用して表示装置コネクタ２０ｂ，２０ｃと本体部コネクタ６１０ｂ，６１０ｃとが嵌合されるので、小さな力でコネクタ同士を容易に嵌合させることが可能になる。
【０１２３】
また、表示装置コネクタ２０ｂ，２０ｃと本体部コネクタ６１０ｂ，６１０ｃとが所定の嵌合状態となったときに固定孔２２ａ，２３ａ，２４ａ，２５ａとボス５４１，５４２，５４３，５４４とが対向して液晶表示装置２０を本体２００にネジ固定が可能になることから、固定孔２２ａ，２３ａ，２４ａ，２５ａとボス５４１，５４２，５４３，５４４とが対向していない場合にはコネクタ同士が嵌合していないことになる。よって、固定孔２２ａ，２３ａ，２４ａ，２５ａとボス５４１，５４２，５４３，５４４との位置関係によってコネクタ同士の嵌合が確認できる。
【０１２４】
なお、本実施の形態においては、表示装置コネクタ２０ｂ，２０ｃは液晶表示装置２０の下端面に設けられているが、下方に向けて設けられている限り、設置位置は問わない。例えば、液晶表示装置２０の背面や上部に設けられていてもよい。
【０１２５】
ここで、液晶表示装置２０のスライド挿入構造において、図２０に示すように、本体２００には、例えば下端支持段部５１７，５１８の上面５１７ａ，５１８ａに、液晶表示装置２０をその下端で弾発的に支持する支持部材６４０を設けることができる。
【０１２６】
図２２に示すように、本実施の形態の支持部材６４０はキャップ形状を呈するとともに、その下端には外方に突出したリブ６４０ａが形成されており、下端支持段部５１７，５１８に形成された取付孔５１７-１，５１８−１に嵌め込まれている。また、下端支持段部５１７，５１８の下方に形成された底面部５１７-２，５１８−２には、取付孔５１７-１，５１８−１に対応する箇所に陥没部５１７-２ａ，５１８−２ａが形成されている。そして、この陥没部５１７-２ａ，５１８−２ａにはまり込むようにして、支持部材６４０と底面部５１７-２，５１８−２との間には、コイルバネ６５０が上下方向に圧縮可能に取り付けられている。
【０１２７】
したがって、支持部材６４０に上方から荷重が加わっていないときには、この支持部材６４０はコイルバネ６５０のバネ力により上方向に付勢され、リブ６４０ａが取付孔５１７-１，５１８−１の外周縁に下側から当接した位置で保持される。なお、この状態では、支持部材６４０は、表示装置コネクタ２０ｂ，２０ｃと本体部コネクタ６１０ｂ，６１０ｃとが嵌合状態になるよりも前に液晶表示装置２０の下端が当接する高さになっている。
【０１２８】
このような構造によれば、液晶表示装置２０が上方からスライド挿入されると、コネクタ同士の嵌合よりも早く液晶表示装置２０の下端が支持部材６４０に当接するので、当該液晶表示装置２０はその下端で支持部材６４０に弾発的に支持される。
【０１２９】
そして、液晶表示装置２０を支持部材６４０の弾発力（つまり、コイルバネ６５０のバネ力）に抗して下降させると、支持部材６４０が液晶表示装置２０によって押し下げられるとともに、表示装置コネクタ２０ｂ，２０ｃが本体部コネクタ６１０ｂ，６１０ｃと嵌合する。
【０１３０】
このような支持部材６４０を設けることにより、液晶表示装置２０を本体２００の上方からスライド挿入する際に不用意に落下させた場合でも、支持部材６４０により落下衝撃が緩和されるので、液晶表示装置２０の毀損を未然に防止することができる。
【産業上の利用可能性】
【０１３１】
以上の説明においては、本発明をパチンコ遊技機本体が遊技台に取り付けられた遊技機に適用した場合が説明されているが、本発明はこれに限定されるものではなく、パチスロ遊技機（スロットマシン）、雀球、スマートボールあるいはゲームセンターに設置された各種ゲーム機など、種々の遊技機に適用することが可能である。
【図面の簡単な説明】
【０１３２】
【図１】本発明の一実施の形態である遊技機を示す斜視図である。
【図２】図１の遊技機の正面図である。
【図３】本発明の一実施の形態に係る遊技機の遊技盤を示す正面図である。
【図４】図３の遊技盤の斜視図である。
【図５】図１の遊技機の取付係合部、上下方向規制部および左右方向規制部を説明する図である。
【図６】図１の遊技機に係る左上の取付係合部を示す斜視図である。
【図７】図１の遊技機に係る左下の取付係合部を示す斜視図である。
【図８】図１の遊技機に係る右下の取付係合部を示す斜視図である。
【図９】図１の遊技機の背面図である。
【図１０】図１に示した遊技機の構成要素の一部を抽出して表面側から見た分解斜視図である。
【図１１】図１に示した遊技機の構成要素の一部を抽出して背面側から見た分解斜視図である。
【図１２】図１の遊技機に取り付けられた液晶表示装置を示す正面図である。
【図１３】図１の遊技機に取り付けられた液晶表示装置を背面側から見た斜視図である。
【図１４】図１の遊技機の本体の内部の一例を示す正面図である。
【図１５】図１の遊技機の本体に設けられた下端支持段部近傍を示す斜視図である。
【図１６】図１の遊技機の本体に設けられた他の下端支持段部近傍を示す斜視図である。
【図１７】液晶表示装置のインバータ基板を保護するカバーケースがインバータ基板収容凹部に収容された状態を示す斜視図である。
【図１８】液晶表示装置の本体に対する取り付けの様子を示す説明図である。
【図１９】液晶表示装置と遊技盤との配置関係を説明する斜視図である。
【図２０】本発明の他の実施の形態である遊技機における液晶表示装置と本体要部とを示す分解斜視図である。
【図２１】図２０の遊技機における液晶表示装置の本体に対する取り付けの様子を示す説明図である。
【図２２】本発明の他の実施の形態である遊技機に設けられた支持部材の内部構造を示す断面図である。
【符号の説明】
【０１３３】
１  遊技機
２  本体部
３  ガラス扉
４  上皿部
４ａ  上皿
５  下皿部
５ａ  下皿
６  カバー
６ａ，６ｂ  スピーカ
７  ハンドル
８  シャッタレバー
１０  遊技盤
１０ａ  遊技領域
１１ａ  外レール
１１ｂ  内レール
１２  一般入賞口
１３  通過ゲート
１４  始動口
１４ａ  ポケット
１５  大入賞口
１６  アウト口
１７  普通電動役物
１７ａ  受け入れ口
１８  電動役物構成部材
１９  ワープ口
１９ａ  ワープ球通路
１９ｂ  ワープ出口
２０  液晶表示装置（表示装置）
２０ａ  表示領域
２０ｂ，２０ｃ  表示装置コネクタ
２１  カバーケース
２２，２３，２４，２５  固定部
２２ａ，２３ａ，２４ａ，２５ａ  固定孔
３０ａ，３０ｂ  軸部
３３，３３ａ，３３ｂ  始動球通路
７０  基板ケースカバー
１００  主制御基板ケース
１１０，１２０，１３０，１４０  取付部
１１１，１２１，１３１，１４１  ピン部
１５０  電源基板ケース
２００  本体
２１０，２２０，２３０，２４０  取付係合部
３００  ベース部
３１０  案内部
３２０  収納部
３３０  軸部
３４０  部位
３４１  下側部位
４００  可動規制部
４５０  貯留タンク
５００  凹部
５０１ａ，５０１ｂ  軸受け部
５０２  固定部
５１３，５１４  下方向規制部
５１５，５１６  左右方向規制部
５１５ａ  切り欠き部
５１６  左右方向規制部
５１６ａ  切り欠き部
５１７，５１８  下端支持段部
５１７-１，５１８−１  取付孔
５１７-２ａ，５１８−２ａ  底面部
５１７-２ａ，５１８−２ａ  陥没部
５１７ａ，５１８ａ  上面
５２０  インバータ基板収容凹部
５３１，５３２  上方向移動規制段部
５４１，５４２，５４３，５４４  ボス
６００  整流樋
６１０ｂ，６１０ｃ  本体部コネクタ
６２０  ネジ
６３０  ガイドレール
６４０  支持部材
６４０ａ  リブ
６５０  コイルバネ
７００  払出装置
【図１】
2008012002.tif 000003
【図２】
2008012002.tif 000004
【図３】
2008012002.tif 000005
【図４】
2008012002.tif 000006
【図５】
2008012002.tif 000007
【図６】
2008012002.tif 000008
【図７】
2008012002.tif 000009
【図８】
2008012002.tif 000010
【図９】
2008012002.tif 000011
【図１０】
2008012002.tif 000012
【図１１】
2008012002.tif 000013
【図１２】
2008012002.tif 000014
【図１３】
2008012002.tif 000015
【図１４】
2008012002.tif 000016
【図１５】
2008012002.tif 000017
【図１６】
2008012002.tif 000018
【図１７】
2008012002.tif 000019
【図１８】
2008012002.tif 000020
【図１９】
2008012002.tif 000021
【図２０】
2008012002.tif 000022
【図２１】
2008012002.tif 000023
【図２２】
2008012002.tif 000024